(57)【要約】【課題】  電力需要量に応じて蓄熱設備の蓄熱運転時間帯を柔軟に設定し、電力需要の平準化を適切に行うことが可能な電力供給サービス方法、電力供給サービスシステムおよび電力供給サービスプログラムを提供する。【解決手段】  電力供給サービスシステムにおいて、電力供給会社は、電力需要家の電力使用量を一定時間毎にモニタリングする電力使用量モニタリングサーバ１０７と、電力需要家の電力使用パターンを作成する電力使用パターン分析サーバ１０９と、電力需要家の現在の電力使用量の相対的な多寡を判定し、蓄熱設備１０５の蓄熱開始または蓄熱停止を判断する電力使用状況マッチングサーバ１０８と、電力使用状況マッチングサーバ１０８による判断に基づいて、電力需要家のもとに設置された蓄熱設備１０５の運転を制御する蓄熱設備運転サーバ１１０とを有する。【選択図】  図１
2006174617.tif 000002
【特許請求の範囲】
【請求項１】
蓄熱設備を有する電力需要家と、前記電力需要家に電力を供給し供給量に応じて電力料金を前記電力需要家に課金する電力供給会社からなる電力供給サービスシステムであって、
前記電力供給会社は、
前記電力需要家の電力使用量を一定時間毎にモニタリングする電力使用量モニタリングサーバと、
前記電力使用量モニタリングサーバによりモニタリングされた情報に基づいて、前記電力需要家の電力使用パターンを作成する電力使用パターン分析サーバと、
前記電力使用量モニタリングサーバおよび前記電力使用パターン分析サーバからの情報に基づいて、前記電力需要家の現在の電力使用量の相対的な多寡を判定し、前記蓄熱設備の蓄熱開始または蓄熱停止を判断する電力使用状況マッチングサーバと、
前記電力使用状況マッチングサーバによる判断に基づいて、前記電力需要家のもとに設置された前記蓄熱設備の運転を制御する蓄熱設備運転サーバとを有することを特徴とする電力供給サービスシステム。
【請求項２】
請求項１記載の電力供給サービスシステムにおいて、
前記電力使用量モニタリングサーバは、複数の前記電力需要家からなるグループの合計の電力使用量を一定時間毎に集計し、
前記蓄熱設備運転サーバは、前記グループの各電力需要家の有する蓄熱設備を一括して蓄熱運転することを特徴とする電力供給サービスシステム。
【請求項３】
請求項１または２記載の電力供給サービスシステムにおいて、
前記電力供給会社は、
前記電力需要家のもとに設置された前記蓄熱設備の使用電力とそれ以外の機器の使用電力を区別して課金する料金計算サーバを有することを特徴とする電力供給サービスシステム。
【請求項４】
請求項１または２記載の電力供給サービスシステムにおいて、
前記電力供給会社は、
前記電力需要家のもとに設置された前記蓄熱設備の使用電力を、前記蓄熱設備運転サーバにより運転された時間帯の使用電力とそれ以外の時間帯の使用電力を区別して課金する料金計算サーバを有することを特徴とする電力供給サービスシステム。
【請求項５】
蓄熱設備を有する電力需要家と、前記電力需要家に電力を供給し供給量に応じて電力料金を前記電力需要家に課金する電力供給会社からなる電力供給サービスシステムの電力供給サービス方法であって、
前記電力供給会社が、前記電力需要家の電力使用量を一定時間毎にモニタリングし、前記モニタリングされた情報に基づいて、前記電力需要家の電力使用パターンを作成し、前記モニタリングされた情報および前記電力使用パターンに基づいて、前記電力需要家の現在の電力使用量の相対的な多寡を判定し、前記蓄熱設備の蓄熱開始または蓄熱停止を判断し、前記蓄熱開始または前記蓄熱停止の判断結果に基づいて、前記電力需要家のもとに設置された前記蓄熱設備の運転を制御することを特徴とする電力供給サービス方法。
【請求項６】
蓄熱設備を有する電力需要家と、前記電力需要家に電力を供給し供給量に応じて電力料金を前記電力需要家に課金する電力供給会社からなる電力供給サービスシステムの電力供給サービスプログラムであって、
前記蓄熱設備の運転を制御するためにコンピュータを、
前記電力需要家の電力使用量を一定時間毎にモニタリングする電力使用量モニタリング手段と、
前記電力使用量モニタリング手段によりモニタリングされた情報に基づいて、前記電力需要家の電力使用パターンを作成する電力使用パターン分析手段と、
前記電力使用量モニタリング手段および前記電力使用パターン分析手段からの情報に基づいて、前記電力需要家の現在の電力使用量の相対的な多寡を判定し、前記蓄熱設備の蓄熱開始または蓄熱停止を判断する電力使用状況マッチング手段と、
前記電力使用状況マッチング手段による判断に基づいて、前記電力需要家のもとに設置された前記蓄熱設備の運転を制御する蓄熱設備運転手段として機能させることを特徴とする電力供給サービスプログラム。
【請求項７】
請求項６記載の電力供給サービスプログラムにおいて、
前記電力使用量モニタリング手段は、複数の前記電力需要家からなるグループの合計の電力使用量を一定時間毎に集計し、
前記蓄熱設備運転手段は、前記グループの各電力需要家の有する蓄熱設備を一括して蓄熱運転することを特徴とする電力供給サービスプログラム。
【発明の詳細な説明】
【技術分野】
【０００１】
本発明は、電力需要家に電力を供給する電力供給会社のビジネスにおいて、電力需要の平準化による設備投資の抑制による経営効率化を通して、電力需要家に対してより低廉な電力供給を図り、他エネルギー源から電力への転換を促す電力供給サービスシステム、電力供給サービス方法および電力供給サービスプログラムに関するものである。
【背景技術】
【０００２】
従来は、深夜時間帯等の電力使用量とその他の時間帯の電力使用量を区別して記録し、一般に電力使用量が全時間帯の使用量の変化からみて相対的に少ない深夜時間帯等の電力価格を安価に設定し、電力需要家に対してこの時間帯に蓄熱設備を蓄熱運転することを促すことによって電力需要の平準化、エネルギーコストの低廉化、ひいては他エネルギー源から電力への転換を図るビジネスモデルがある（例えば、非特許文献１参照）。
【０００３】
また、電力供給会社に対する電力需要要求全体が設定値を超えたときに電力需要家の有する特定の機器の運転を停止させるかわりに電力価格を安価に設定するビジネスモデルがある。
【非特許文献１】鈴木胖・山地憲治著、「エネルギー負荷平準化」、初版、エネルギー・資源学会、２０００年１１月１５日、ｐ．１２９−１３０
【発明の開示】
【発明が解決しようとする課題】
【０００４】
しかしながら、電力事業の自由化の進展にともない、電力供給設備の効率的な使用を進めるために、蓄熱設備の設置の促進が予想され、家庭においては、より快適な生活を求めて、お湯蓄積型の給湯器の普及が予想されている。
【０００５】
また、ライフスタイルの変化により相対的に深夜時間帯の電力使用量が増えることが予想されている。
【０００６】
このような中、従来のように、蓄熱設備を深夜時間帯に集中して蓄熱運転することが必ずしも電力需要の平準化につながらなくなっていくことが予想されている。
【０００７】
そこで、本発明の目的は、電力需要量に応じて蓄熱設備の蓄熱運転時間帯を柔軟に設定し、電力需要の平準化を適切に行うことが可能な電力供給サービス方法、電力供給サービスシステムおよび電力供給サービスプログラムを提供することにある。
【課題を解決するための手段】
【０００８】
本発明による電力供給サービスシステムは、蓄熱設備を有する電力需要家と、電力需要家に電力を供給し供給量に応じて電力料金を電力需要家に課金する電力供給会社からなる電力供給サービスシステムであって、電力供給会社は、電力需要家の電力使用量を一定時間毎にモニタリングする電力使用量モニタリングサーバと、電力使用量モニタリングサーバによりモニタリングされた情報に基づいて、電力需要家の電力使用パターンを作成する電力使用パターン分析サーバと、電力使用量モニタリングサーバおよび電力使用パターン分析サーバからの情報に基づいて、電力需要家の現在の電力使用量の相対的な多寡を判定し、蓄熱設備の蓄熱開始または蓄熱停止を判断する電力使用状況マッチングサーバと、電力使用状況マッチングサーバによる判断に基づいて、電力需要家のもとに設置された蓄熱設備の運転を制御する蓄熱設備運転サーバとを有する。
【０００９】
また、本発明による電力供給サービス方法は、蓄熱設備を有する電力需要家と、電力需要家に電力を供給し供給量に応じて電力料金を電力需要家に課金する電力供給会社からなる電力供給サービスシステムの電力供給サービス方法であって、電力供給会社が、電力需要家の電力使用量を一定時間毎にモニタリングし、モニタリングされた情報に基づいて、電力需要家の電力使用パターンを作成し、モニタリングされた情報および電力使用パターンに基づいて、電力需要家の現在の電力使用量の相対的な多寡を判定し、蓄熱設備の蓄熱開始または蓄熱停止を判断し、蓄熱開始または蓄熱停止の判断結果に基づいて、電力需要家のもとに設置された蓄熱設備の運転を制御する。
【００１０】
また、本発明による電力供給サービスプログラムは、蓄熱設備を有する電力需要家と、電力需要家に電力を供給し供給量に応じて電力料金を電力需要家に課金する電力供給会社からなる電力供給サービスシステムの電力供給サービスプログラムであって、蓄熱設備の運転を制御するためにコンピュータを、電力需要家の電力使用量を一定時間毎にモニタリングする電力使用量モニタリング手段と、電力使用量モニタリング手段によりモニタリングされた情報に基づいて、電力需要家の電力使用パターンを作成する電力使用パターン分析手段と、電力使用量モニタリング手段および電力使用パターン分析手段からの情報に基づいて、電力需要家の現在の電力使用量の相対的な多寡を判定し、蓄熱設備の蓄熱開始または蓄熱停止を判断する電力使用状況マッチング手段と、電力使用状況マッチング手段による判断に基づいて、電力需要家のもとに設置された蓄熱設備の運転を制御する蓄熱設備運転手段として機能させる。
【発明の効果】
【００１１】
本発明によれば、電力使用量の少ない時間帯に柔軟に蓄熱設備の蓄熱運転を行うことができ、電力需要の平準化に寄与する。
【００１２】
また、蓄熱運転時間帯の電力単価を安価に設定することにより、電力需要家のエネルギーコスト低減にもつながり、他のエネルギー源から電力への移行を促すことができる。
【発明を実施するための最良の形態】
【００１３】
以下、本発明の実施の形態を図面に基づいて詳細に説明する。なお、実施の形態を説明するための全図において、同一の部材には原則として同一の符号を付し、その繰り返しの説明は省略する。
【００１４】
本実施の形態は、電力供給会社側で、電力需要家毎に電力使用量の相対的な多寡を判定し、電力使用量が相対的に少ない場合にその電力需要家の有する蓄熱設備を、電力供給会社側からの指示により蓄熱運転し、その運転時間帯の蓄熱設備の電力料金を他の時間帯の電力料金と別に算出するものである。
【００１５】
＜電力供給サービスシステムの構成＞
図１により、本発明の一実施の形態に係る電力供給サービスシステムの構成について説明する。図１は本発明の一実施の形態に係る電力供給サービスシステムの構成を示す構成図である。
【００１６】
図１において、電力供給サービスシステムは、電力需要家側の構成として、通信機能付き電力量計１０１、蓄熱設備１０５、通信網終端装置１２０、蓄熱設備１０５以外の電気機器であるその他機器１３０から構成され、電力供給会社側の構成として、電力使用量モニタリング手段である電力使用量モニタリングサーバ１０７、電力使用状況マッチング手段である電力使用状況マッチングサーバ１０８、電力使用パターン分析手段である電力使用パターン分析サーバ１０９、蓄熱設備運転手段である蓄熱設備運転サーバ１１０、料金計算手段である料金計算サーバ１１１、電力使用量データベース（以下、データベースをＤＢと称する）１１２、電力使用パターンＤＢ１１３、蓄熱設備運転履歴ＤＢ１１４、通信網終端装置１４０、発電設備１５０から構成されている。
【００１７】
また、電力使用量モニタリングサーバ１０７、電力使用状況マッチングサーバ１０８、電力使用パターン分析サーバ１０９、蓄熱設備運転サーバ１１０、料金計算サーバ１１１は、コンピュータ上でプログラムを実行することにより、電力使用量モニタリング手段、電力使用状況マッチング手段、電力使用パターン分析手段、蓄熱設備運転手段、料金計算手段の機能を実施するようになっている。
【００１８】
また、電力使用量モニタリングサーバ１０７、電力使用状況マッチングサーバ１０８、電力使用パターン分析サーバ１０９、蓄熱設備運転サーバ１１０、料金計算サーバ１１１は、別々のサーバであってもよいし、１つのコンピュータ上で電力供給サービスプログラムを実行し、電力使用量モニタリング手段、電力使用状況マッチング手段、電力使用パターン分析手段、蓄熱設備運転手段、料金計算手段の機能を実施するサーバであってもよい。
【００１９】
電力供給会社と電力需要家が送電網１６０および通信網１７０により接続されており、電力供給会社の発電設備１５０からの電力を送電網１６０を介して電力需要家に提供し、電力供給会社の通信網終端装置１４０と電力需要家の通信網終端装置１２０を通信網１７０に接続し、各種データの授受を行っている。
【００２０】
通信機能付き電力量計１０１は、通信処理部１０２、その他機器電力量メータ１０３、蓄熱設備電力量メータ１０４を備え、蓄熱設備１０５の電力使用量と、それ以外の機器（その他機器１３０）の電力使用量を計測し、その通信処理部１０２を通して単位時間（例：３０分）毎に各々の積算メータ値を電力使用量モニタリングサーバ１０７に報告する。
【００２１】
蓄熱設備１０５は、通信処理部１０６を備え、蓄熱設備運転サーバ１１０からの蓄熱開始命令、蓄熱停止命令を通信処理部１０６を通して受信して実行する機能、蓄熱設備運転サーバ１１０からの状態問合せに対して、自身の状態を通信処理部１０６を通して蓄熱設備運転サーバ１１０に送信する機能、および自身の状態変化報告を通信処理部１０６を通して蓄熱設備運転サーバ１１０に送信する機能を有するものとする。
【００２２】
蓄熱設備１０５は、蓄熱量がなくなると自動的に蓄熱開始するものとする。蓄熱設備１０５は、蓄熱開始後、蓄熱量が容量いっぱいになると自動的に蓄熱停止するものとする。蓄熱設備１０５は、蓄熱設備運転サーバ１１０からの蓄熱開始命令、蓄熱停止命令を実行するリモートモードと実行しないローカルモードを有し、電力需要家がそのモード切替を行うものとする。
【００２３】
なお、リモートモードにおいても電力需要家が蓄熱設備１０５の蓄熱開始、蓄熱停止を指定できるものとする。リモートモードにて電力需要家により蓄熱開始された場合、あるいは、リモートモードにて蓄熱量がなくなり自動的に蓄熱開始された場合、蓄熱設備１０５は一時的にローカルモードとなり、蓄熱容量がいっぱいになり自動的に蓄熱停止するか、電力需要家が蓄熱停止するとリモートモードに復帰するものとする。
【００２４】
蓄熱設備１０５が蓄熱設備運転サーバ１１０からの状態問合せに対して返答する状態には、問合せ時点にてリモートモードにあるかローカルモードにあるか、蓄熱運転中か否かおよび蓄熱量データ（例えば蓄熱容量の何％か）の情報が含まれるものとする。
【００２５】
蓄熱設備１０５は、電力需要家により蓄熱開始あるいは蓄熱停止された場合、蓄熱量がなくなり自動的に蓄熱開始した場合、および蓄熱量が蓄熱容量がいっぱいになり自動的に蓄熱停止した場合は、その旨を含む状態変化報告を蓄熱設備運転サーバ１１０に送信するものとする。
【００２６】
電力使用量モニタリングサーバ１０７は、各電力需要家の蓄熱設備１０５の電力使用量とそれ以外の機器の電力使用量を一定時間毎に電力需要家のもとの通信機能付き電力量計１０１から取り込み電力使用量ＤＢ１１２に格納する。
【００２７】
電力使用状況マッチングサーバ１０８は、電力使用量ＤＢ１１２と電力使用パターンＤＢ１１３を参照し、電力需要家毎に、その電力需要家の有する蓄熱設備１０５の蓄熱を開始すべきか停止すべきかを判断して蓄熱設備運転サーバ１１０に伝える。
【００２８】
電力使用パターン分析サーバ１０９は、電力使用量ＤＢ１１２を参照し、各電力需要家の蓄熱設備以外の電力使用パターンを分析し、電力使用量の相対的に少ない時間帯と、蓄熱設備の蓄熱を開始すべきか否かの電力使用量の閾値、蓄熱停止すべきか否かの電力使用量の閾値を決定し、電力使用パターンＤＢ１１３に格納する。電力使用パターンの分析は、定期的に（例：週１回）行うものとする。
【００２９】
蓄熱設備運転サーバ１１０は、電力使用状況マッチングサーバ１０８から指示に従い、各電力需要家の有する蓄熱設備１０５の蓄熱開始／停止を行いその履歴を蓄熱設備運転履歴ＤＢ１１４に記録する。また、各需要家の有する蓄熱設備から報告される状態変化の履歴も蓄熱設備運転履歴ＤＢ１１４に記録する。
【００３０】
料金計算サーバ１１１は、電力使用量ＤＢ１１２と蓄熱設備運転履歴ＤＢ１１４および料金単価データなどを参照し、各需要家の電気料金を計算する。
【００３１】
＜ＤＢの構成＞
次に、図２〜図４により、本発明の一実施の形態に係る電力供給サービスシステムにて使用するＤＢの構成について説明する。図２は本発明の一実施の形態に係る電力供給サービスシステムにて使用する電力使用量ＤＢの構成を示す図、図３は本発明の一実施の形態に係る電力供給サービスシステムにて使用する電力使用パターンＤＢの構成を示す図、図４は本発明の一実施の形態に係る電力供給サービスシステムにて使用する蓄熱設備運転履歴ＤＢの構成を示す図である。
【００３２】
電力使用量ＤＢ１１２は、図２に示すように、電力需要家毎に、一定時間毎の蓄熱設備の電力使用量（積算メータ値２０２、電力使用量２０３）、それ以外の機器の電力使用量（積算メータ値２０４、電力使用量２０５）を、日付・時刻データ２０１を付加して記録する。
【００３３】
電力使用パターンＤＢ１１３は、図３に示すように、電力需要家毎に、蓄熱設備１０５の蓄熱設備運転候補時間帯２１１、蓄熱開始すべきか否かを判定するための電力使用量（蓄熱設備以外）の電力使用量閾値２１２、蓄熱停止すべきか否かを判定するための電力使用量（蓄熱設備以外）の電力使用量閾値２１３を格納する。
【００３４】
蓄熱設備運転履歴ＤＢ１１４は、図４に示すように、電力需要家毎に、蓄熱設備１０５の運転履歴２２２、２２３を日付・時刻データ２２１付きで記録する。特に、蓄熱開始とそれが蓄熱設備運転サーバ１１０によりなされたのか電力需要家によりなされたのか蓄熱量がなくなり自動開始したのかの記録、および蓄熱停止とそれが蓄熱設備運転サーバ１１０によりなされたのか蓄熱容量がいっぱいとなり自動停止したのか電力需要家によりなされたのかの記録を漏れなく記録する。
【００３５】
＜通信データの流れおよび各ＤＢのデータ例＞
次に、図５〜図８により、本発明の一実施の形態に係る電力供給サービスシステムの通信データの流れおよび各ＤＢのデータ例について説明する。図５は本発明の一実施の形態に係る電力供給サービスシステムの通信データの流れを説明するための説明図、図６は本発明の一実施の形態に係る電力供給サービスシステムの電力使用量ＤＢのデータ例を示す図、図７は本発明の一実施の形態に係る電力供給サービスシステムの電力使用パターンＤＢのデータ例を示す図、図８は本発明の一実施の形態に係る電力供給サービスシステムの蓄熱設備運転履歴ＤＢのデータ例を示す図である。
【００３６】
図５において、まず、電力使用量モニタリングサーバ１０７は、各電力需要家の通信機能付き電力量計１０１から一定時間毎に日付・時刻データと蓄熱設備の電力使用量（積算メータ値）、それ以外の機器の電力使用量（積算メータ値）からなる通信データ３０１を受信する（Ｓ１００）。電力使用量モニタリングサーバ１０７はこれらの通信データ３０１を、例えば、図６に示すように電力使用量ＤＢ１１２に格納する（Ｓ３１１）。
【００３７】
電力使用状況マッチングサーバ１０８は、電力使用量ＤＢ１１２、例えば図７に示すような電力使用パターンＤＢ１１３を参照して（Ｓ３１２，Ｓ３１３）、蓄熱設備運転サーバ１１０に電力需要家の有する蓄熱設備１０５の蓄熱開始指示／蓄熱停止指示３０２を送信するか否かを判定する（Ｓ１０１）。
【００３８】
蓄熱設備運転サーバ１１０は、電力使用状況マッチングサーバ１０８から、電力需要家の有する蓄熱設備の蓄熱開始指示／蓄熱停止指示３０２を受信する。蓄熱設備運転サーバ１１０は、電力需要家の有する蓄熱設備１０５に対して状態報告要求３０３を送信し（Ｓ１０２）、その応答として状態報告３０５を受信する（Ｓ１０３）。
【００３９】
また、蓄熱設備運転サーバ１１０は、電力需要家の有する蓄熱設備１０５から、日付・時刻データ付きの状態変化報告３０６を受信する（Ｓ１０４）。
【００４０】
蓄熱設備運転サーバ１１０は、電力使用状況マッチングサーバ１０８からの蓄熱開始指示／蓄熱停止指示３０２および蓄熱設備１０５からの状態報告３０５に基づいて、電力需要家の有する蓄熱設備１０５に対して蓄熱開始命令／蓄熱停止命令３０４を送信する（Ｓ１０５）。
【００４１】
蓄熱設備運転サーバ１１０は、蓄熱設備１０５から受信した状態変化報告３０６、自身が蓄熱設備に発行した蓄熱開始／停止命令３０４からなる運転履歴を、例えば図８に示すように、日付・時刻データ付きで蓄熱設備運転履歴ＤＢ１１４に格納する（Ｓ３１４）。
【００４２】
電力使用パターン分析サーバ１０９は、電力使用量ＤＢ１１２を参照して（Ｓ３１５）分析を行い、結果を電力使用パターンＤＢ１１３に格納する（Ｓ３１６）。
【００４３】
料金計算サーバ１１１は、電力使用量ＤＢ１１２、蓄熱設備運転履歴ＤＢ１１４を参照して（Ｓ３１７，Ｓ３１８）、電力料金を算出する。
【００４４】
＜電力使用パターン分析サーバの分析例＞
次に、図９により、本発明の一実施の形態に係る電力供給サービスシステムの電力使用パターン分析サーバによる電力使用パターンＤＢのデータ作成処理について説明する。図９は本発明の一実施の形態に係る電力供給サービスシステムの電力使用パターン分析サーバによる電力使用パターンＤＢのデータ作成処理を示すフローチャートである。
【００４５】
電力使用パターン分析サーバ１０９は、電力使用量ＤＢ１１２を参照し、各電力需要家の蓄熱設備以外の電力使用パターンを分析し、電力使用量の相対的に少ない時間帯と、蓄熱設備の蓄熱を開始すべきか否かの電力使用量の閾値、蓄熱停止すべきか否かの電力使用量の閾値を決定し、電力使用パターンＤＢ１１３に格納しており、電力使用パターンの分析は、定期的に（例えば、1週間に１度）行うものとする。
【００４６】
この分析は、図９に示すように、まず、電力使用量ＤＢ１１２を参照し、最近の例えば４週間分について曜日毎に、１日の全単位時間に関して、その単位時間における蓄熱設備以外の使用電力量の重み付け平均を算出する（Ｓ６０１）。
【００４７】
ただし、月曜日〜土曜日の祝日あるいはその振替休日は日曜日と同等とみなして平均を算出する。また、平均を算出する際の重み付けは、例えば、直前の１週間のデータについては４、その前の１週間のデータは３、その前の１週間のデータは２、その前の１週間のデータは１とする。
【００４８】
そして、各曜日について、Ｓ６０１で算出した各単位時間の電力使用量を基に、下記の規則で蓄熱設備運転候補時間帯を決める。
【００４９】
まず、電力使用量が少ないほうから一定時間分（例えば、８時間分）をピックアップする（Ｓ６０２）。
【００５０】
そして、Ｓ６０２でピックアップされた時間帯のうち、連続して、例えば１時間に満たないものは除外し（Ｓ６０３）、残った時間帯を蓄熱設備運転候補時間帯２１１とする（Ｓ６０４）。
【００５１】
そして、蓄熱設備運転候補時間帯のなかで最大の単位時間毎電力使用量を蓄熱開始の電力使用量閾値２１２として設定する（Ｓ６０５）。蓄熱停止の電力使用量閾値２１３としても同様の電力使用量を設定する（Ｓ６０６）。
【００５２】
以上の処理により、例えば、図７に示すような、電力需要家毎に、曜日毎の蓄熱設備蓄熱設備運転候補時間帯からなる電力使用パターンＤＢ１１３のデータが作成される。
【００５３】
＜電力供給サービスシステムの蓄熱運転開始／停止の動作＞
次に、図１０および図１１により、本発明の一実施の形態に係る電力供給サービスシステムの蓄熱運転開始／停止の動作について説明する。図１０は本発明の一実施の形態に係る電力供給サービスシステムの蓄熱運転開始／停止の動作を示すフローチャート、図１１は本発明の一実施の形態に係る電力供給サービスシステムの電力使用状況マッチングサーバの動作を示すフローチャートである。
【００５４】
図１０に示すフローチャートでは、電力需要家の有する蓄熱設備の電力供給会社による運転／停止の処理を示しており、この処理は１電力需要家に関してのものであって、実際には全電力需要家分繰り返し実行されるものである。
【００５５】
まず、電力使用量モニタリングサーバ１０７は、単位時間毎に電力需要家のもとに設置された通信機能付き電力量計１０１から、蓄熱設備１０５の電力使用量に関する積算メータ値、それ以外の機器の電力使用量に関する積算メータ値３０１を受信し、この一定時間の間の蓄熱設備の電力使用量およびそれ以外の機器の電力使用量を計算し、電力使用量ＤＢ１１２に、日付・時刻データ２０１、積算メータ値２０２、電力使用量２０３、積算メータ値２０４、電力使用量２０５を記録・追加する（Ｓ４０１）。
【００５６】
そして、電力使用状況マッチングサーバ１０８は、電力使用量ＤＢ１１２、電力使用パターンＤＢ１１３、蓄熱設備運転履歴ＤＢ１１４を参照し、蓄熱設備運転開始／停止を判定する（Ｓ４０２）。
【００５７】
そして、Ｓ４０２での判断の結果、運転開始と判定されると、電力使用状況マッチングサーバ１０８は、蓄熱開始指示３０２を、蓄熱設備運転サーバ１１０に送信し（Ｓ４１１）、蓄熱設備運転サーバ１１０は、蓄熱開始指示３０２を受信したら、その電力需要家の蓄熱設備１０５の状態をその蓄熱設備１０５に問い合わせる（Ｓ４１２）。
【００５８】
蓄熱設備運転サーバ１１０が蓄熱開始指示３０２を受信している場合、Ｓ４１２での問合せの結果、その蓄熱設備１０５が蓄熱運転されておらず、かつリモートモードで、かつ蓄熱設備１０５の蓄熱量がある閾値以下（例えば蓄熱容量の９５％以下）であると返答があったとき、蓄熱設備運転サーバ１１０はその蓄熱設備１０５に蓄熱開始命令３０４を送信し、蓄熱設備運転履歴ＤＢ１１４に運転開始履歴として、日付・時刻データ２２１、運転履歴２２２、２２３を記録して（Ｓ４１３）終了し、Ｓ４１２での問い合わせの結果、その他の返答があったときにはＳ４１３の処理を行わずに終了する。
【００５９】
また、Ｓ４０２での判断の結果、運転停止と判定されると、電力使用状況マッチングサーバ１０８は、蓄熱停止指示３０２を、蓄熱設備運転サーバ１１０に送信し（Ｓ４２１）、蓄熱設備運転サーバ１１０は、蓄熱停止指示３０２を受信したら、その電力需要家の蓄熱設備１０５の状態をその蓄熱設備１０５に問い合わせる（Ｓ４２２）。
【００６０】
蓄熱設備運転サーバ１１０が蓄熱停止指示３０２を受信している場合、Ｓ４２２での問合せの結果、その蓄熱設備１０５が蓄熱運転されており、かつリモートモードであると返答があったとき、蓄熱設備運転サーバ１１０はその蓄熱設備１０５に蓄熱停止命令３０４を送信し、蓄熱設備運転履歴ＤＢ１１４に蓄熱停止履歴として、日付・時刻データ２２１、運転履歴２２２、２２３を記録して（Ｓ４２３）終了し、Ｓ４２２での問い合わせの結果、その他の返答があったときにはＳ４２３の処理を行わずに終了する。
【００６１】
また、図１０のＳ４０２における電力使用状況マッチングサーバ１０８の動作としては、図１１に示すように、まず、蓄熱設備運転履歴ＤＢ１１４の該当電力需要家に関する最新のエントリを参照して、蓄熱設備１０５が蓄熱運転中か否かを調べる（Ｓ５０１）。
【００６２】
そして、Ｓ５０１で蓄熱運転中でない場合、現在時刻が蓄熱設備運転候補時間帯２１１にあたっており、かつ、蓄熱設備１０５以外の機器の最新の電力使用量２０５が蓄熱開始すべきか否かを判定するための電力使用量（蓄熱設備以外）の電力使用量閾値２１２以下かを判定し（Ｓ５１１）、条件を満たすと判定されれば、蓄熱設備１０５を運転すべきと判断する（Ｓ５１２）。
【００６３】
一方、蓄熱運転中の場合、蓄熱設備１０５以外の機器の最新の電力使用量２０５が蓄熱停止すべきか否かを判定するための電力使用量（蓄熱設備以外）の電力使用量閾値２１３より多いかを判定し（Ｓ５２１）、条件を満たすと判定されれば、蓄熱設備１０５を停止すべきと判断する（Ｓ５２２）。
【００６４】
また、Ｓ５１１で条件を満たさないと判断されれば、Ｓ５１２の処理を行わずに終了し、Ｓ５２１で条件を満たさないと判断されれば、Ｓ５２２の処理を行わずに終了する。
【００６５】
＜料金計算サーバの計算例＞
次に、図１２により、本発明の一実施の形態に係る電力供給サービスシステムの料金計算サーバによる電力料金算出例について説明する。図１２は本発明の一実施の形態に係る電力供給サービスシステムの料金計算サーバによる電力料金算出処理を示すフローチャートである。
【００６６】
まず、蓄熱設備運転履歴ＤＢ１１４から、蓄熱設備運転サーバ１１０からの命令による蓄熱開始履歴として、日付・時刻データ２２１、運転履歴２２２、２２３を抜き出す（Ｓ７０１）。
【００６７】
このとき、蓄熱設備運転サーバ１１０からの命令によらない蓄熱開始履歴は除外する。蓄熱設備運転履歴ＤＢ１１４から、Ｓ７０１で抜き出した蓄熱開始履歴に対応する蓄熱停止履歴として、日付・時刻データ２２１、運転履歴２２２、２２３を抜き出す（Ｓ７０２）。
【００６８】
なお、このとき対象となる蓄熱停止履歴は、蓄熱設備運転サーバ１１０からの命令による停止以外に、自動停止および電力需要家による停止である可能性もある。
【００６９】
Ｓ７０１の蓄熱開始履歴およびＳ７０２の蓄熱停止履歴より蓄熱設備運転時間帯を求める（Ｓ７０３）。
【００７０】
電力使用量ＤＢ１１２から蓄熱設備運転時間帯の電力使用量（蓄熱設備およびそれ以外）を算出する（Ｓ７０４）。電力使用量ＤＢ１１２から蓄熱設備運転時間帯以外（Ｓ７０３の時間帯以外）の電力使用量を算出する（Ｓ７０５）。
【００７１】
以上で得た電力使用量から、以下の式により、該当需要家の電力料金を算出する（Ｓ７０６）。
【００７２】
蓄熱設備運転時間帯の電力使用量×蓄熱設備運転時間帯の電力単価  ＋
蓄熱設備運転時間帯以外の電力使用量×蓄熱設備運転時間帯以外の電力単価
ここで、蓄熱設備運転時間帯の電力単価を安価に設定することにより、電力需要家の本サービスへの加入を促進することができる。
【００７３】
以上、個々の電力需要家単位で、電力使用量が少ない時間帯に蓄熱設備の蓄熱運転を行う例を説明したが、複数の電力需要家まとめてグループ化し、グループの電力使用量が少ない時間帯に蓄熱設備の蓄熱運転を行うこともできる。
【００７４】
したがって、電力需要の平準化、電力需要家のエネルギーコスト低減を実現するサービスを提供できる。
【００７５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【図面の簡単な説明】
【００７６】
【図１】本発明の一実施の形態に係る電力供給サービスシステムの構成を示す構成図である。
【図２】本発明の一実施の形態に係る電力供給サービスシステムにて使用する電力使用量ＤＢの構成を示す図である。
【図３】本発明の一実施の形態に係る電力供給サービスシステムにて使用する電力使用パターンＤＢの構成を示す図である。
【図４】本発明の一実施の形態に係る電力供給サービスシステムにて使用する蓄熱設備運転履歴ＤＢの構成を示す図である。
【図５】本発明の一実施の形態に係る電力供給サービスシステムの通信データの流れを説明するための説明図である。
【図６】本発明の一実施の形態に係る電力供給サービスシステムの電力使用量ＤＢのデータ例を示す図である。
【図７】本発明の一実施の形態に係る電力供給サービスシステムの電力使用パターンＤＢのデータ例を示す図である。
【図８】本発明の一実施の形態に係る電力供給サービスシステムの蓄熱設備運転履歴ＤＢのデータ例を示す図である。
【図９】本発明の一実施の形態に係る電力供給サービスシステムの電力使用パターン分析サーバによる電力使用パターンＤＢのデータ作成処理を示すフローチャートである。
【図１０】本発明の一実施の形態に係る電力供給サービスシステムの蓄熱運転開始／停止の動作を示すフローチャートである。
【図１１】本発明の一実施の形態に係る電力供給サービスシステムの電力使用状況マッチングサーバの動作を示すフローチャートである。
【図１２】本発明の一実施の形態に係る電力供給サービスシステムの料金計算サーバによる電力料金算出処理を示すフローチャートである。
【符号の説明】
【００７７】
１０１…通信機能付き電力量計、１０２…通信処理部、１０３…その他機器電力量メータ、１０４…蓄熱設備電力量メータ、１０５…蓄熱設備、１０６…通信処理部、１０７…電力使用量モニタリングサーバ、１０８…電力使用状況マッチングサーバ、１０９…電力使用パターン分析サーバ、１１０…蓄熱設備運転サーバ、１１１…料金計算サーバ、１１２…電力使用量ＤＢ、１１３…電力使用パターンＤＢ、１１４…蓄熱設備運転履歴ＤＢ、１２０…通信網終端装置、１３０…その他機器、１４０…通信網終端装置、１５０…発電設備、１６０…送電網、１７０…通信網、２０１…日付・時刻データ、２０２…積算メータ値、２０３…電力使用量、２０４…積算メータ値、２０５…電力使用量、２１１…蓄熱設備運転候補時間帯、２１２…電力使用量閾値、２１３…電力使用量閾値、２２１…日付・時刻データ、２２２、２２３…運転履歴、３０１…通信データ、３０２…蓄熱開始／停止指示、３０３…状態報告要求、３０４…蓄熱開始／停止命令、３０５…状態報告、３０６…状態変化報告。
【図１】
2006174617.tif 000003
【図２】
2006174617.tif 000004
【図３】
2006174617.tif 000005
【図４】
2006174617.tif 000006
【図５】
2006174617.tif 000007
【図６】
2006174617.tif 000008
【図７】
2006174617.tif 000009
【図８】
2006174617.tif 000010
【図９】
2006174617.tif 000011
【図１０】
2006174617.tif 000012
【図１１】
2006174617.tif 000013
【図１２】
2006174617.tif 000014